(57)【要約】    【課題】居住者による応答操作が行われた何れか１の機器以外の他の機器における呼出表示のために消費される電源を抑えることにより、省電力化を図り呼出表示部品の劣化を防止させる。    【解決手段】自世帯の住戸内に設置されるインターホン親機２ａおよびインターホン増設親機３ａの間、または他世帯の住戸内に設置されるインターホン親機２ｂおよびインターホン増設親機３ｂの間で室内通話が開始されてから所定の時間が経過すると、このタイムアップを検出したＣＰＵ２０ａ、３０ａまたはＣＰＵ２０ｂ、３０ｂの制御により、ＯＳＤ回路２３ａ、３３ａまたはＯＳＤ回路２３ｂ、３３ｂの制御が停止され、モニタ２２ａ、３２ｂまたはモニタ２２ｂ、３２ｂの消灯制御も行われる。  【選択図】図１
2006101198.tif 000002
【特許請求の範囲】
【請求項１】
玄関に設置される子機（１ａ、１ｂ）と、前記子機からの呼び出しに応答して通話を成立させるための住戸内に設置されるインターホン親機（２ａ、２ｂ）およびインターホン増設親機（３ａ、３ｂ）とを備え、
前記インターホン親機および前記インターホン増設親機の間を各親機内の増設用Ｉ／Ｆ（２６ａ、２６ｂ、３５ａ、３５ｂ）と伝送路（Ｌ2a、Ｌ2b）とを介して接続し、
前記インターホン親機および前記インターホン増設親機は、室内通話中であることを表示するためのモニタ（２２ａ、２２ｂ、３２ａ、３２ｂ）と、そのＯＳＤ画面を生成するためのＯＳＤ回路（２３ａ、２３ｂ、３３ａ、３３ｂ）とを有し、
前記インターホン親機および前記インターホン増設親機は、所定時間の経過後に前記ＯＳＤ回路の制御を停止するとともに、前記モニタの消灯制御を行うためのＣＰＵ（２０ａ、２０ｂ、３０ａ、３０ｂ）を備えたことを特徴とするインターホンシステム。
【請求項２】
自世帯に設置されたインターホン親機（２ａ）は、別世帯用Ｉ／Ｆ（２７ａ、２７ｂ）と伝送路（Ｌ3）とを介して他世帯に設置されたインターホン親機（２ｂ）を接続し、前記別世帯用Ｉ／Ｆを経由して前記所定時間の経過後に他世帯の前記ＯＳＤ回路の制御を停止するとともに、前記モニタの消灯制御を行うためのＣＰＵ（２０ａ、２０ｂ）を備えたことを特徴とする請求項１記載のインターホンシステム。
【請求項３】
玄関に設置される子機（１ａ、１ｂ）と、前記子機からの呼び出しに応答して通話を成立させるための住戸内に設置されるインターホン親機（２ａ、２ｂ）およびインターホン増設親機（３ａ、３ｂ）とを備え、
前記インターホン親機および前記インターホン増設親機の間を各親機内の増設用Ｉ／Ｆ（２６ａ、２６ｂ、３５ａ、３５ｂ）と伝送路（Ｌ2a、Ｌ2b）とを介して接続し、
前記子機および前記インターホン親機の間を子機用Ｉ／Ｆ（２５ａ、２５ｂ）と伝送路（Ｌ1a、Ｌ1b）を介して接続し、
前記インターホン親機および前記インターホン増設親機は、前記子機との間で通話中であることを表示するためのモニタ（２２ａ、２２ｂ、３２ａ、３２ｂ）と、そのＯＳＤ画面を生成するためのＯＳＤ回路（２３ａ、２３ｂ、３３ａ、３３ｂ）とを有し、
前記インターホン親機および前記インターホン増設親機は、所定時間の経過後に前記ＯＳＤ回路の制御を停止するとともに、前記モニタの消灯制御を行うためのＣＰＵ（２０ａ、２０ｂ、３０ａ、３０ｂ）とを備えたことを特徴とするインターホンシステム。
【発明の詳細な説明】
【技術分野】
【０００１】
本発明はインターホンシステムに係り、特に、省電力化を図り呼出表示部品の劣化を防止させたインターホンシステムに関する。
【背景技術】
【０００２】
従来から、自世帯および他世帯を有する二世帯住宅用に設置されたインターホンシステムとして、自世帯の玄関に設置された子機からの来訪者による呼び出しを、自世帯の住戸内に設置されたインターホン親機およびインターホン増設親機と、他世帯の住戸内に設置されたインターホン親機およびインターホン増設親機とにてそれぞれ報知し、何れか１の機器にて応答操作を行った居住者が来訪者との間で通話を成立させるばかりでなく、自世帯の住戸内に設置されたインターホン親機およびインターホン増設親機の間、他世帯の住戸内に設置されたインターホン親機およびインターホン増設親機の間、自世帯の住戸内に設置されたインターホン親機またはインターホン増設親機と他世帯の住戸内に設置されたインターホン親機またはインターホン増設親機との間で呼び出し、通話が可能なインターホンシステムが開示されている（例えば、非特許文献１を参照。）。
【０００３】
【非特許文献１】アイホン総合カタログ２００４−２００５年版（２４〜２５頁等）
【発明の開示】
【発明が解決しようとする課題】
【０００４】
しかしながら、従来例のインターホンシステムにおいて、自世帯の玄関に設置された子機から来訪者による呼び出しがあった場合、自世帯の住戸内に設置されたインターホン親機およびインターホン増設親機、他世帯の住戸内に設置されたインターホン親機およびインターホン増設親機では、所定の映像や文字データ等のデータ（映像データ）が生成され、このデータ（映像データ）がモニタに表示されるような呼出表示がそれぞれ行われる。ここで、居住者による応答操作が行われた何れか１の機器以外の他の機器では、前述のような呼出表示が保持され多量の電源が消費される要因となるばかりでなく、モニタの劣化を早める虞があった。
【０００５】
本発明は、前述の難点を解消するためになされたもので、居住者による応答操作が行われた何れか１の機器以外の他の機器における呼出表示のために消費される電源を抑えることにより、省電力化を図り呼出表示部品の劣化を防止させたインターホンシステムを提供することを目的としている。
【課題を解決するための手段】
【０００６】
前述の目的を達成するため、本発明のインターホンシステムは、玄関に設置される子機と、子機からの呼び出しに応答して通話を成立させるための住戸内に設置されるインターホン親機およびインターホン増設親機とを備えた当該システムであり、インターホン親機およびインターホン増設親機の間を各親機内の増設用Ｉ／Ｆと伝送路とを介して接続し、インターホン親機およびインターホン増設親機は、室内通話中であることを表示するためのモニタと、そのＯＳＤ画面を生成するためのＯＳＤ回路とを有し、インターホン親機およびインターホン増設親機は、所定時間の経過後にＯＳＤ回路の制御を停止するとともに、モニタの消灯制御を行うためのＣＰＵとを備えたものである。
【０００７】
また、本発明のインターホンシステムにおいて、自世帯に設置されたインターホン親機は、別世帯用Ｉ／Ｆと伝送路とを介して他世帯に設置されたインターホン親機を接続し、別世帯用Ｉ／Ｆを経由して所定時間の経過後に他世帯のＯＳＤ回路の制御を停止するとともに、モニタの消灯制御を行うためのＣＰＵを備えたものである。
【０００８】
また、本発明のインターホンシステムは、玄関に設置される子機と、子機からの呼び出しに応答して通話を成立させるための住戸内に設置されるインターホン親機およびインターホン増設親機とを備えた当該システムであり、インターホン親機およびインターホン増設親機の間を各親機内の増設用Ｉ／Ｆと伝送路とを介して接続し、子機およびインターホン親機の間を子機用Ｉ／Ｆと伝送路を介して接続し、インターホン親機およびインターホン増設親機は、子機との間で通話中であることを表示するためのモニタと、そのＯＳＤ画面を生成するためのＯＳＤ回路とを有し、インターホン親機およびインターホン増設親機は、所定時間の経過後にＯＳＤ回路の制御を停止する。
【発明の効果】
【０００９】
本発明のインターホンシステムによれば、自世帯の住戸内に設置されるインターホン親機およびインターホン増設親機の間、または他世帯の住戸内に設置されるインターホン親機およびインターホン増設親機の間で室内通話が開始されてから所定の時間が経過すると、このタイムアップを検出したＣＰＵの制御により、ＯＳＤ回路の制御が停止され、モニタの消灯制御も行われることから、省電力化が図られるとともに、呼出表示部品の劣化させることができる。
【００１０】
また、自世帯の住戸内に設置されるインターホン親機またはインターホン増設親機と他世帯の住戸内に設置されるインターホン親機またはインターホン増設親機との間で別世帯間通話が開始されてから所定の時間が経過すると、このタイムアップを検出したＣＰＵの制御により、ＯＳＤ回路の制御が停止され、モニタの消灯制御も行われることから、省電力化が図られるとともに、呼出表示部品の劣化させることができる。
【００１１】
さらに、自世帯の玄関に設置される子機または他世帯の玄関に設置される子機と自世帯の住戸内に設置されるインターホン親機およびインターホン増設親機、他世帯の住戸内に設置されるインターホン親機およびインターホン増設親機のうち何れか１の機器との間で玄関間通話が開始されてから所定の時間が経過すると、このタイムアップを検出したＣＰＵの制御により、ＯＳＤ回路の制御が停止され、モニタの消灯制御も行われることから、省電力化が図られるとともに、呼出表示部品の劣化させることができる。
【発明を実施するための最良の形態】
【００１２】
以下、本発明のインターホンシステムを適用した最良の実施の形態例について、図面を参照して説明する。
【００１３】
図１は、本発明の実施例によるインターホンシステムとして、当該システムを二世帯住宅用に適用した場合の構成を示すシステム説明図である。
【００１４】
図１のシステム説明図に示すインターホンシステムは、自世帯の玄関（以下、自世帯玄関という。）に設置され、この自世帯玄関に居る来訪者が呼出操作を行い、自世帯の住戸内（以下、自世帯内という。）および／または他世帯の住戸内（以下、他世帯内という。）に在室中の居住者との間で通話を成立させるための子機（以下、自世帯子機という。）１ａと、自世帯内に設置され、伝送路（以下、自世帯子機ラインという。）Ｌ1aを介して接続された自世帯子機１ａ、または後述する他世帯の子機１ｂにて呼出操作を行った来訪者からの呼び出しが報知され、この呼び出しに応答した居住者が来訪者との間で通話を成立させるとともに、後述する自世帯のインターホン増設親機３ａ、他世帯のインターホン親機２ｂおよび他世帯のインターホン増設親機３ｂの各機器との間で呼び出し、通話が可能なインターホン親機（以下、自世帯インターホン親機という。）２ａと、伝送路（以下、自世帯増設ラインという。）Ｌ2aを介して接続された自世帯インターホン親機２ａとともに自世帯内に設置され、前述の自世帯子機１ａまたは後述する他世帯の子機１ｂにて呼出操作を行った来訪者からの呼び出しが報知され、この呼び出しに応答した居住者が来訪者との間で通話を成立させるとともに、前述の自世帯インターホン親機２ａ、後述する他世帯のインターホン親機２ｂおよび他世帯のインターホン増設親機３ｂの各機器との間で呼び出し、通話が可能なインターホン増設親機（以下、自世帯インターホン増設親機という。）３ａと、他世帯の玄関（以下、他世帯玄関という。）に設置され、この他世帯玄関に居る来訪者が呼出操作を行い、自世帯内および／または他世帯内に在室中の居住者との間で通話を成立させるための子機（以下、他世帯子機という。）１ｂと、他世帯内に設置され、伝送路（以下、他世帯子機ラインという。）Ｌ1bを介して接続された他世帯子機１ｂ、または前述の自世帯子機１ａにて呼出操作を行った来訪者からの呼び出しが報知され、この呼び出しに応答した居住者が来訪者との間で通話を成立させるとともに、前述の自世帯インターホン親機２ａ、自世帯インターホン増設親機３ａおよび後述する他世帯のインターホン増設親機３ｂの各機器との間で呼び出し、通話が可能なインターホン親機（以下、他世帯インターホン親機という。）２ｂと、伝送路（以下、他世帯増設ラインという。）Ｌ2bを介して接続された他世帯インターホン親機２ｂとともに他世帯内に設置され、前述の自世帯子機１ａまたは他世帯子機１ｂにて呼出操作を行った来訪者からの呼び出しが報知され、この呼び出しに応答した居住者が来訪者との間で通話を成立させるとともに、前述の自世帯インターホン親機２ａ、自世帯インターホン増設親機３ａおよび他世帯インターホン親機２ｂの各機器との間で呼び出し、通話が可能なインターホン増設親機（以下、他世帯インターホン増設親機という。）３ｂとから構成されている。
【００１５】
図１のシステム説明図において、自世帯子機１ａは、自世帯玄関に居る来訪者が呼出操作を行うための呼出機能（図示せず）と、自世帯玄関にて呼出操作を行った来訪者が応答した居住者との間で通話を成立させるための音声（送話音声、受話音声）を入出力する通話機能（図示せず）とを有している。
【００１６】
また、他世帯子機１ｂは、他世帯玄関に居る来訪者が呼出操作を行うための呼出機能（図示せず）と、他世帯玄関にて呼出操作を行った来訪者が応答した居住者との間で通話を成立させるための音声（送話音声、受話音声）を入出力する通話機能（図示せず）とを有している。
【００１７】
また、自世帯インターホン親機２ａは、当該自世帯インターホン親機の構成各部／回路をそれぞれ制御するための親機ＣＰＵ２０ａと、自世帯子機１ａ、他世帯子機１ｂ、他世帯インターホン親機２ｂ、自世帯インターホン増設親機３ａまたは他世帯インターホン増設親機３ｂからの呼び出しがある旨の呼出音（音声メッセージを含む）を放音するとともに、居住者が来訪者または相手先の他の居住者との間で通話を成立させるための音声（送話音声、受話音声）を入出力するスピーカ、マイク等の呼出報知／通話部２１ａと、自世帯子機１ａ、他世帯子機１ｂ、他世帯インターホン親機２ｂ、自世帯インターホン増設親機３ａまたは他世帯インターホン増設親機３ｂからの呼び出しがある旨の文字や絵データ等を表示するためのＬＣＤ（Liquid Crystal Display）、有機ＥＬ（Electro Luminescence）ディスプレイ等のモニタ２２ａと、モニタ２２ａに表示させるデータ（映像データ）を生成するためのＯＳＤ（On Screen Display）回路２３ａと、居住者が呼出操作や応答操作等を行うためのタッチパネル等の操作部２４ａと、親機ＣＰＵ２０ａおよび自世帯子機ラインＬ1aの間の信号伝送路を形成するためのインターフェース（以下、子機用Ｉ／Ｆという。）２５ａと、親機ＣＰＵ２０ａおよび自世帯増設ラインＬ2aの間の信号伝送路を形成するためのインターフェース（以下、増設用Ｉ／Ｆという。）２６ａと、親機ＣＰＵ２０ａおよび親機間ラインＬ3の間の信号伝送路を形成するためのインターフェース（以下、別世帯用Ｉ／Ｆという。）２７ａとが備えられている。
【００１８】
また、他世帯インターホン親機２ｂは、当該他世帯インターホン親機の構成各部／回路をそれぞれ制御するための親機ＣＰＵ２０ｂと、自世帯子機１ａ、他世帯子機１ｂ、自世帯インターホン親機２ａ、自世帯インターホン増設親機３ａまたは他世帯インターホン増設親機３ｂからの呼び出しがある旨の呼出音（音声メッセージを含む）を放音するとともに、居住者が来訪者または相手先の他の居住者との間で通話を成立させるための音声（送話音声、受話音声）を入出力するスピーカ、マイク等の呼出報知／通話部２１ｂと、自世帯子機１ａ、他世帯子機１ｂ、自世帯インターホン親機２ａ、自世帯インターホン増設親機３ａまたは他世帯インターホン増設親機３ｂからの呼び出しがある旨の文字や絵データ等を表示するためのＬＣＤ、有機ＥＬディスプレイ等のモニタ２２ｂと、モニタ２２ｂに表示させるデータ（映像データ）を生成するためのＯＳＤ回路２３ｂと、居住者が呼出操作や応答操作等を行うためのタッチパネル等の操作部２４ｂと、親機ＣＰＵ２０ｂおよび他世帯子機ラインＬ1bの間の信号伝送路を形成するための子機用Ｉ／Ｆ２５ｂと、親機ＣＰＵ２０ｂおよび他世帯増設ラインＬ2bの間の信号伝送路を形成するための増設用Ｉ／Ｆ２６ｂと、親機ＣＰＵ２０ｂおよび親機間ラインＬ3の間の信号伝送路を形成するための別世帯用Ｉ／Ｆ２７ｂとが備えられている。
【００１９】
また、自世帯インターホン増設親機３ａは、当該自世帯インターホン増設親機の構成各部／回路をそれぞれ制御するための増設親機ＣＰＵ３０ａと、自世帯子機１ａ、他世帯子機１ｂ、自世帯インターホン親機２ａ、他世帯インターホン親機２ｂまたは他世帯インターホン増設親機３ｂからの呼び出しがある旨の呼出音（音声メッセージを含む）を放音するとともに、居住者が来訪者または相手先の他の居住者との間で通話を成立させるための音声（送話音声、受話音声）を入出力するスピーカ、マイク等の呼出報知／通話部３１ａと、自世帯子機１ａ、他世帯子機１ｂ、自世帯インターホン親機２ａ、他世帯インターホン親機２ｂまたは他世帯インターホン増設親機３ｂからの呼び出しがある旨の文字や絵データ等を表示するためのＬＣＤ、有機ＥＬディスプレイ等のモニタ３２ａと、モニタ３２ａに表示させるデータ（映像データ）を生成するためのＯＳＤ回路３３ａと、居住者が呼出操作や応答操作等を行うためのタッチパネル等の操作部３４ａと、増設親機ＣＰＵ３０ａおよび自世帯増設ラインＬ2aの間の信号伝送路を形成するための増設用Ｉ／Ｆ３５ａとが備えられている。
【００２０】
さらに、他世帯インターホン増設親機３ｂは、当該他世帯インターホン増設親機の構成各部／回路をそれぞれ制御するための増設親機ＣＰＵ３０ｂと、自世帯子機１ａ、他世帯子機１ｂ、自世帯インターホン親機２ａ、他世帯インターホン親機２ｂまたは自世帯インターホン増設親機３ａからの呼び出しがある旨の呼出音（音声メッセージを含む）を放音するとともに、居住者が来訪者または相手先の他の居住者との間で通話を成立させるための音声（送話音声、受話音声）を入出力するスピーカ、マイク等の呼出報知／通話部３１ｂと、自世帯子機１ａ、他世帯子機１ｂ、自世帯インターホン親機２ａ、他世帯インターホン親機２ｂまたは自世帯インターホン増設親機３ａからの呼び出しがある旨の文字や絵データ等を表示するためのＬＣＤ、有機ＥＬディスプレイ等のモニタ３２ｂと、モニタ３２ｂに表示させるデータ（映像データ）を生成するためのＯＳＤ回路３３ｂと、居住者が呼出操作や応答操作等を行うためのタッチパネル等の操作部３４ｂと、増設親機ＣＰＵ３０ｂおよび他世帯増設ラインＬ2bの間の信号伝送路を形成するための増設用Ｉ／Ｆ３５ｂとが備えられている。
【００２１】
このように構成された本発明の実施例によるインターホンシステムにおいて、以下、具体的な動作について説明する。
［第１の動作］
本発明の実施例による第１の動作について説明する。
【００２２】
図１のブロック図において、自世帯内および他世帯内のうち、ここでは、自世帯内に在室中の居住者が同一世帯である自世帯内に在室中の他の居住者を呼び出して室内通話を成立させるために、自世帯インターホン親機２ａの親機ＣＰＵ２０ａの制御によりＯＳＤ回路２３ａにて生成され、モニタ２２ａに予め表示されているＯＳＤ画面上の室内呼出ボタン（図示せず）を、操作部２４ａの操作、例えば、タッチ操作によって選択すると、この操作を検出した親機ＣＰＵ２０ａによりＯＳＤ回路２３ａが制御され、モニタ２２ａの表示が室内呼出ボタン（図示せず）を有するＯＳＤ画面から室内呼出中である旨の文字や絵データ等（図示せず）を有するＯＳＤ画面へと切り替えられるとともに、室内呼出信号が生成される。この室内呼出信号は、親機ＣＰＵ２０ａから増設用Ｉ／Ｆ２６ａ、自世帯増設ラインＬ2a、自世帯インターホン増設親機３ａの増設用Ｉ／Ｆ３５ａを介して増設親機ＣＰＵ３０ａへと伝送される。
【００２３】
自世帯インターホン増設親機３ａの増設親機ＣＰＵ３０ａは、自世帯インターホン親機２ａの親機ＣＰＵ２０ａからの室内呼出信号をもとに、同一世帯である自世帯内に在室中の他の居住者からの呼び出しがあることを検出し、その旨の呼出音（音声メッセージを含む）を呼出報知／通話部３１ａをなすスピーカ（図示せず）から放音させるとともに、ＯＳＤ回路３３ａを制御して室内被呼出中である旨の文字や絵データ等と通話ボタン（図示せず）とを有するＯＳＤ画面を生成させることにより、このＯＳＤ画面がモニタ３２ａに表示される。
【００２４】
また、自世帯インターホン増設親機３ａの呼出報知／通話部３１ａをなすスピーカ（図示せず）から放音された呼出音（音声メッセージを含む）およびモニタ３２ａに表示されたＯＳＤ画面をもとに、同一世帯である自世帯内に在室中の他の居住者からの呼び出しがあることを検出した居住者が操作部３４ａの操作、例えば、タッチ操作によってモニタ３２ａに表示されているＯＳＤ画面上の通話ボタン（図示せず）を選択すると、この操作を検出した増設親機ＣＰＵ３０ａの制御により、呼出報知／通話部３１ａをなすスピーカおよびマイク（図示せず）と当該増設親機ＣＰＵを介して増設用Ｉ／Ｆ３５ａとの間の通話路が形成されるとともに、室内通話要求信号が生成される。この室内通話要求信号は、増設親機ＣＰＵ３０ａから増設用Ｉ／Ｆ３５ａ、自世帯増設ラインＬ2a、自世帯インターホン親機２ａの増設用Ｉ／Ｆ２６ａを介して親機ＣＰＵ２０ａへと伝送される。
【００２５】
自世帯インターホン親機２ａの親機ＣＰＵ２０ａは、自世帯インターホン増設親機３ａの増設親機ＣＰＵ３０ａからの室内通話要求信号をもとに、呼出先の居住者からの応答があったことを検出し、これを検出した親機ＣＰＵ２０ａの制御により、呼出報知／通話部２１ａをなすスピーカおよびマイク（図示せず）と当該親機ＣＰＵを介して増設用Ｉ／Ｆ２６ａとの間の通話路が形成されるとともに、室内通話許可信号が生成され、さらに、前述の応答を検出した親機ＣＰＵ２０ａは、ＯＳＤ回路２３ａを制御して室内通話中である旨および通話開始から所定時間の経過後においてモニタ２２ａが消灯される旨の文字や絵データ等と終話ボタン（図示せず）とを有するＯＳＤ画面を生成させることにより、このＯＳＤ画面がモニタ２２ａに表示される。なお、室内通話許可信号は、前述の室内呼出信号と同様な経路を介して自世帯インターホン増設親機３ａのＣＰＵ３０ａへと伝送される。
【００２６】
自世帯インターホ増設親機３ａの増設親機ＣＰＵ３０ａは、自世帯インターホン親機２ａの親機ＣＰＵ２０ａからの室内通話許可信号を検出すると、ＯＳＤ回路３３ａを制御して室内通話中である旨および通話開始から所定時間の経過後においてモニタ３２ａが消灯される旨の文字や絵データ等と終話ボタン（図示せず）とを有するＯＳＤ画面を生成させることにより、このＯＳＤ画面がモニタ３２ａに表示される。
【００２７】
前述のような自世帯インターホン親機２ａの親機ＣＰＵ２０ａおよび自世帯インターホン増設親機３ａの増設親機ＣＰＵ３０ａの制御により、呼出元の居住者が使用する呼出報知／通話部２１ａをなすスピーカおよびマイク（図示せず）と呼出先の居住者が使用する呼出報知／通話部３１ａをなすスピーカおよびマイク（図示せず）との通話路が形成され、形成された通話路を介して音声信号が送受信され通話が成立している室内通話中であり、親機ＣＰＵ２０ａおよび増設親機ＣＰＵ３０ａにてそれぞれ計時中の所定時間内において、呼出元の居住者および呼出先の居住者のうち何れか一方の居住者、ここでは、呼出元の居住者が通話を終話させるために、モニタ２２ａのＯＳＤ画面上に表示されている終話ボタン（図示せず）を、操作部２４ａの操作、例えば、タッチ操作によって選択すると、この操作を検出した親機ＣＰＵ２０ａにより呼出報知／通話部２１ａをなすスピーカおよびマイク（図示せず）と当該親機ＣＰＵを介して増設用Ｉ／Ｆ２６ａとの間の通話路が遮断されるとともに、ＯＳＤ回路２３ａへの制御が停止されモニタ２２ａの消灯制御も行われ、さらに、終話信号が生成される。この終話信号は、前述の室内呼出信号、室内通話許可信号と同様な経路を介して自世帯インターホン増設親機３ａの増設親機ＣＰＵ３０ａへと伝送される。
【００２８】
自世帯インターホン増設親機３ａの増設親機ＣＰＵ３０ａは、自世帯インターホン親機２ａの親機ＣＰＵ２０ａからの終話信号を検出すると、呼出報知／通話部３１ａをなすスピーカおよびマイク（図示せず）と当該増設親機ＣＰＵを介して増設用Ｉ／Ｆ３５ａとの間の通話路を遮断するとともに、ＯＳＤ回路３３ａへの制御を停止してモニタ３２ａの消灯制御も行う。
【００２９】
また、前述のような自世帯インターホン親機２ａの親機ＣＰＵ２０ａおよび自世帯インターホン増設親機３ａの増設親機ＣＰＵ３０ａの制御により、呼出元の居住者が使用する呼出報知／通話部２１ａをなすスピーカおよびマイク（図示せず）と呼出先の居住者が使用する呼出報知／通話部３１ａをなすスピーカおよびマイク（図示せず）との通話路が形成され、形成された通話路を介して音声信号が送受信され通話が成立している室内通話中において、親機ＣＰＵ２０ａおよび増設親機ＣＰＵ３０ａにてそれぞれ計時中の所定時間がタイムアップとなると、このタイムアップを検出した親機ＣＰＵ２０ａおよび増設親機ＣＰＵ３０ａの制御により、ＯＳＤ回路２３ａ、３３ａへの制御がそれぞれ停止されるとともに、モニタ２２ａ、３２ａの消灯制御もそれぞれ行われる。
【００３０】
さらに、前述のような自世帯インターホン親機２ａの親機ＣＰＵ２０ａおよび自世帯インターホン増設親機３ａの増設親機ＣＰＵ３０ａの制御により、呼出元の居住者が使用する呼出報知／通話部２１ａをなすスピーカおよびマイク（図示せず）と呼出先の居住者が使用する呼出報知／通話部３１ａをなすスピーカおよびマイク（図示せず）との通話路が形成され、形成された通話路を介して音声信号が送受信され通話が成立している室内通話中において、親機ＣＰＵ２０ａおよび増設親機ＣＰＵ３０ａにてそれぞれ計時中の所定時間がタイムアップとなり、ＯＳＤ回路２３ａ、３３ａへの制御がそれぞれ停止されモニタ２２ａ、３３ａの消灯制御もそれぞれ行われた後、呼出元の居住者および呼出先の居住者のうち何れか一方の居住者、ここでは、呼出元の居住者が終話させるためには、操作部２４ａを操作、例えば、タッチ操作する。この操作を検出した親機ＣＰＵ２０ａは、ＯＳＤ回路２３ａにて生成させた終話ボタン（図示せず）を有するＯＳＤ画面を、点灯制御したモニタ２２ａに表示させる。さらに、呼出元の居住者がモニタ２２ａのＯＳＤ画面上に表示されている終話ボタン（図示せず）を、操作部２４ａの操作、例えば、タッチ操作によって選択すると、この応答操作を検出した親機ＣＰＵ２０ａおよび増設親機ＣＰＵ３０ａの制御により、前述の所定時間内における応答動作時と同様、呼出元の居住者が使用する呼出報知／通話部２１ａをなすスピーカおよびマイク（図示せず）と呼出先の居住者が使用する呼出報知／通話部３１ａをなすスピーカおよびマイク（図示せず）との間の通話路が遮断されるとともに、ＯＳＤ回路２３ａ、３３ａへの制御がそれぞれ停止されモニタ２２ａ、３２ａの消灯制御もそれぞれ行われる。
【００３１】
なお、本発明の実施例による第１の動作においては、室内通話が成立される世帯を自世帯とし、自世帯内に在室中の居住者が同一世帯である自世帯内に在室中の他の居住者を呼び出して室内通話を成立させる動作について説明したが、これに限定されず、他世帯内に在室中の居住者が同一世帯である他世帯内に在室中の他の居住者を呼び出して室内通話を成立させた場合でも同様な動作を行うことができ、省電力化が図られるとともに、呼出表示部品の劣化が防止される。
［第２の動作］
次に、本発明の実施例による第２の動作について説明する。
【００３２】
図１のブロック図において、自世帯内および他世帯内のうち、ここでは、自世帯内に在室中の居住者が他世帯内に在室中の居住者を呼び出して別世帯間通話を成立させるために、自世帯インターホン親機２ａの親機ＣＰＵ２０ａの制御によりＯＳＤ回路２３ａにて生成され、モニタ２２ａに予め表示されているＯＳＤ画面上の別世帯呼出ボタン（図示せず）を、操作部２４ａの操作、例えば、タッチ操作によって選択すると、この操作を検出した親機ＣＰＵ２０ａによりＯＳＤ回路２３ａが制御され、モニタ２２ａの表示が別世帯呼出ボタンを有するＯＳＤ画面から別世帯呼出中である旨の文字や絵データ等（図示せず）を有するＯＳＤ画面へと切り替えられるとともに、別世帯呼出信号が生成される。この別世帯呼出信号は、親機ＣＰＵ２０ａから別世帯用Ｉ／Ｆ２７ａ、親機間ラインＬ3、他世帯インターホン親機２ｂの別世帯用Ｉ／Ｆ２７ｂを介して親機ＣＰＵ３０ｂへと伝送される。
【００３３】
他世帯インターホン親機２ｂの親機ＣＰＵ２０ｂは、自世帯インターホン親機２ａの親機ＣＰＵ２０ａからの別世帯呼出信号をもとに、別世帯である自世帯内に在室中の居住者からの呼び出しがあることを検出し、その旨の呼出音（音声メッセージを含む）を呼出報知／通話部２１ｂをなすスピーカ（図示せず）から放音させるとともに、ＯＳＤ回路２３ｂを制御して別世帯被呼出中である旨の文字や絵データ等と通話ボタン（図示せず）とを有するＯＳＤ画面を生成させることにより、このＯＳＤ画面がモニタ２２ｂに表示される。また、他世帯インターホン親機２ｂの親機ＣＰＵ２０ｂは、自世帯インターホン親機２ａの親機ＣＰＵ２０ａからの別世帯呼出信号を、増設用Ｉ／Ｆ２６ｂ、他世帯増設ラインＬ2b、他世帯インターホン増設親機３ｂの増設用Ｉ／Ｆ３５ｂを介して増設親機ＣＰＵ３０ｂに出力する。
【００３４】
他世帯インターホン増設親機３ｂの増設親機ＣＰＵ３０ｂは、自世帯インターホン親機２ａの親機ＣＰＵ２０ａからの別世帯呼出信号をもとに、別世帯である自世帯内に在室中の居住者からの呼び出しがあることを検出し、その旨の呼出音（音声メッセージを含む）を呼出報知／通話部３１ｂをなすスピーカ（図示せず）から放音させるとともに、ＯＳＤ回路３３ｂを制御して別世帯被呼出中である旨の文字や絵データ等と通話ボタン（図示せず）とを有するＯＳＤ画面を生成させることにより、このＯＳＤ画面がモニタ３２ｂに表示される。
【００３５】
また、他世帯インターホン親機２ｂおよび他世帯インターホン増設親機３ｂの呼出報知／通話部２１ｂ、３１ｂをなすスピーカ（図示せず）からそれぞれ放音された前述の呼出音（音声メッセージを含む）およびモニタ２２ｂ、３２ｂにそれぞれ表示されたＯＳＤ画面をもとに、別世帯である自世帯内に在室中の居住者からの呼び出しがあることを検出した他世帯内に在室中の各居住者のうち、最先に応答した居住者、ここでは、他世帯インターホン親機２ｂにて前述の呼び出しを確認した居住者が操作部２４ｂの操作、例えば、タッチ操作によってモニタ２２ｂに表示されているＯＳＤ画面上の通話ボタン（図示せず）を選択すると、この操作を検出した親機ＣＰＵ２０ｂの制御により、呼出報知／通話部２１ｂをなすスピーカおよびマイク（図示せず）と当該親機ＣＰＵを介して別世帯用Ｉ／Ｆ２７ｂとの間の通話路が形成されるとともに、別世帯間通話要求信号が生成される。この別世帯間通話要求信号は、親機ＣＰＵ２０ｂから別世帯用Ｉ／Ｆ２７ｂ、親機間ラインＬ3、自世帯インターホン親機２ａの別世帯用Ｉ／Ｆ２７ａを介して親機ＣＰＵ２０ａへと伝送されるとともに、親機ＣＰＵ２０ｂから増設用Ｉ／Ｆ２６ｂ、他世帯増設ラインＬ2b、他世帯インターホン増設親機３ｂの増設用Ｉ／Ｆ３５ｂを介して増設親機ＣＰＵ３０ｂへと伝送される。
【００３６】
自世帯インターホン親機２ａの親機ＣＰＵ２０ａおよび他世帯インターホン増設親機３ｂの増設親機ＣＰＵ３０ｂのうち、自世帯インターホン親機２ａの親機ＣＰＵ２０ａは、他世帯インターホン親機２ｂの親機ＣＰＵ２０ｂからの別世帯間通話要求信号をもとに、呼出先の居住者からの応答があったことを検出し、これを検出した親機ＣＰＵ２０ａの制御により、呼出報知／通話部２１ａをなすスピーカおよびマイク（図示せず）と当該親機ＣＰＵを介して別世帯用Ｉ／Ｆ２７ａとの間の通話路が形成されるとともに、別世帯間通話許可信号が生成され、さらに、ＯＳＤ回路２３ａを制御して別世帯間通話中である旨および通話開始から所定時間の経過後においてモニタ２２ａが消灯される旨の文字や絵データ等と終話ボタン（図示せず）とを有するＯＳＤ画面を生成させることにより、このＯＳＤ画面がモニタ２２ａに表示される。なお、別世帯間通話許可信号は、前述の別世帯呼出信号と同様な経路を介して他世帯インターホン親機２ｂの親機ＣＰＵ２０ｂへと伝送される。
【００３７】
他世帯インターホン親機２ｂの親機ＣＰＵ２０ｂは、自世帯インターホン親機２ａの親機ＣＰＵ２０ａからの別世帯間通話許可信号を検出すると、ＯＳＤ回路２３ｂを制御して別世帯間通話中である旨および通話開始から所定時間の経過後においてモニタ２２ｂが消灯される旨の文字や絵データ等と終話ボタン（図示せず）とを有するＯＳＤ画面を生成させることにより、このＯＳＤ画面がモニタ２２ｂに表示される。
【００３８】
一方、自世帯インターホン親機２ａの親機ＣＰＵ２０ａおよび他世帯インターホン増設親機３ｂの増設親機ＣＰＵ３０ｂのうち、他世帯インターホン増設親機３ｂの増設親機ＣＰＵ３０ｂは、他世帯インターホン親機２ｂの親機ＣＰＵ２０ｂからの別世帯間通話要求信号をもとに、呼出先の居住者からの応答があったことを検出し、ＯＳＤ回路３３ｂへの制御を停止するとともに、モニタ３２ｂの消灯制御を行う。
【００３９】
前述のような自世帯インターホン親機２ａの親機ＣＰＵ２０ａおよび他世帯インターホン親機２ｂの親機ＣＰＵ２０ｂの制御により、呼出元の居住者が使用する呼出報知／通話部２１ａをなすスピーカおよびマイク（図示せず）と呼出先の居住者が使用する呼出報知／通話部２１ｂをなすスピーカおよびマイク（図示せず）との通話路が形成され、形成された通話路を介して音声信号が送受信され通話が成立している別世帯間通話中であり、親機ＣＰＵ２０ａ、２０ｂにてそれぞれ計時中の所定時間内において、呼出元の居住者および呼出先の居住者のうち何れか一方の居住者、ここでは、呼出元の居住者が通話を終話させるために、モニタ２２ａのＯＳＤ画面上に表示されている終話ボタン（図示せず）を、操作部２４ａの操作、例えば、タッチ操作によって選択すると、この操作を検出した親機ＣＰＵ２０ａにより呼出報知／通話部２１ａをなすスピーカおよびマイク（図示せず）と当該親機ＣＰＵを介して別世帯用Ｉ／Ｆ２７ａとの間の通話路が遮断されるとともに、ＯＳＤ回路２３ａへの制御が停止されモニタ２２ａの消灯制御も行われ、さらに、終話信号が生成される。この終話信号は、前述の別世帯呼出信号、別世帯間通話許可信号と同様な経路を介して他世帯インターホン親機２ｂの親機ＣＰＵ２０ｂへと伝送される。
【００４０】
他世帯インターホン親機２ｂの親機ＣＰＵ２０ｂは、自世帯インターホン親機２ａの親機ＣＰＵ２０ａからの終話信号を検出すると、呼出報知／通話部２１ｂをなすスピーカおよびマイク（図示せず）と当該親機ＣＰＵを介して別世帯用Ｉ／Ｆ２７ｂとの間の通話路を遮断するとともに、ＯＳＤ回路２３ｂへの制御を停止してモニタ２２ｂの消灯制御も行う。
【００４１】
また、前述のような自世帯インターホン親機２ａおよび他世帯インターホン親機２ｂの親機ＣＰＵ２０ａ、２０ｂの制御により、呼出元の居住者が使用する呼出報知／通話部２１ａをなすスピーカおよびマイク（図示せず）と呼出先の居住者が使用する呼出報知／通話部２１ｂをなすスピーカおよびマイク（図示せず）との通話路が形成され、形成された通話路を介して音声信号が送受信され通話が成立している別世帯間通話中において、親機ＣＰＵ２０ａ、２０ｂにてそれぞれ計時中の所定時間がタイムアップとなると、このタイムアップを検出した親機ＣＰＵ２０ａ、２０ｂの制御により、ＯＳＤ回路２３ａ、２３ｂへの制御がそれぞれ停止されるとともに、モニタ２２ａ、２２ｂの消灯制御もそれぞれ行われる。
【００４２】
さらに、前述のような自世帯インターホン親機２ａおよび他世帯インターホン親機２ｂの親機ＣＰＵ２０ａ、２０ｂの制御により、呼出元の居住者が使用する呼出報知／通話部２１ａをなすスピーカおよびマイク（図示せず）と呼出先の居住者が使用する呼出報知／通話部２１ｂをなすスピーカおよびマイク（図示せず）との通話路が形成され、形成された通話路を介して音声信号が送受信され通話が成立している別世帯間通話中において、親機ＣＰＵ２０ａ、２０ｂにてそれぞれ計時中の所定時間がタイムアップとなり、ＯＳＤ回路２３ａ、２３ｂへの制御がそれぞれ停止されモニタ２２ａ、２２ｂの消灯制御もそれぞれ行われた後、呼出元の居住者および呼出先の居住者のうち何れか一方の居住者、ここでは、呼出元の居住者が終話させるためには、操作部２４ａを操作、例えば、タッチ操作する。この操作を検出した親機ＣＰＵ２０ａは、ＯＳＤ回路２３ａにて生成させた終話ボタン（図示せず）を有するＯＳＤ画面を、点灯制御したモニタ２２ａに表示させる。さらに、呼出元の居住者がモニタ２２ａのＯＳＤ画面上に表示されている終話ボタン（図示せず）を、操作部２４ａの操作、例えば、タッチ操作によって選択すると、この応答操作を検出した親機ＣＰＵ２０ａ、２０ｂの制御により、前述の所定時間内における応答動作時と同様、呼出元の居住者が使用する呼出報知／通話部２１ａをなすスピーカおよびマイク（図示せず）と呼出先の居住者が使用する呼出報知／通話部２１ｂをなすスピーカおよびマイク（図示せず）との間の通話路が遮断されるとともに、ＯＳＤ回路２３ａ、２２ｂへの制御がそれぞれ停止されモニタ２２ａ、２２ｂの消灯制御もそれぞれ行われる。
【００４３】
なお、本発明の実施例による第２の動作においては、別世帯間通話を成立させるにあたり、呼出元の世帯を自世帯とし、自世帯内に在室中の居住者が別世帯である他世帯内に在室中の居住者を呼び出して別世帯間通話を成立させる動作について説明したが、これに限定されず、呼出元の世帯を他世帯とし、他世帯内に在室中の居住者が別世帯である自世帯内に在室中の居住者を呼び出して別世帯間通話を成立させた場合でも同様な動作を行うことができ、省電力化が図られるとともに、呼出表示部品の劣化が防止される。
［第３の動作］
次に、本発明の実施例による第３の動作について説明する。
【００４４】
図１のブロック図において、自世帯玄関および他世帯玄関のうち、ここでは、自世帯玄関に居る来訪者が自世帯内および／または他世帯内に在室中の居住者を呼び出して通話を成立させるために、自世帯子機１ａの呼出機能（図示せず）を能動にすると、当該自世帯子機にて生成された子機呼出信号が自世帯子機ラインＬ1a、自世帯インターホン親機２ａの子機用Ｉ／Ｆ２５ａを介して親機ＣＰＵ２０ａへと伝送される。
【００４５】
自世帯インターホン親機２ａの親機ＣＰＵ２０ａは、自世帯子機１ａからの子機呼出信号をもとに、自世帯玄関に居る来訪者からの呼び出しがあることを検出し、その旨の呼出音（音声メッセージを含む）を呼出報知／通話部２１ａをなすスピーカ（図示せず）から放音させるとともに、ＯＳＤ回路２３ａを制御して自世帯玄関被呼出中である旨の文字や絵データ等と通話ボタン（図示せず）とを有するＯＳＤ画面を生成させることにより、このＯＳＤ画面がモニタ２２ａに表示される。また、自世帯インターホン親機２ａの親機ＣＰＵ２０ａは、自世帯子機１ａからの子機呼出信号を、増設用Ｉ／Ｆ２６ａ、自世帯増設ラインＬ2a、自世帯インターホン増設親機３ａの増設用Ｉ／Ｆ３５ａを介して増設親機ＣＰＵ３０ａと、別世帯用Ｉ／Ｆ２７ａ、親機間ラインＬ3、他世帯インターホン親機２ｂの別世帯用Ｉ／Ｆ２７ｂを介して親機ＣＰＵ２０ｂとにそれぞれ出力する。
【００４６】
自世帯インターホン増設親機３ａの増設親機ＣＰＵ３０ａは、自世帯子機１ａからの子機呼出信号をもとに、自世帯玄関に居る来訪者からの呼び出しがあることを検出し、その旨の呼出音（音声メッセージを含む）を呼出報知／通話部３１ａをなすスピーカ（図示せず）から放音させるとともに、ＯＳＤ回路３３ａを制御して自世帯玄関被呼出中である旨の文字や絵データ等と通話ボタン（図示せず）とを有するＯＳＤ画面を生成させることにより、このＯＳＤ画面がモニタ３２ａに表示される。
【００４７】
他世帯インターホン親機２ｂの親機ＣＰＵ２０ｂは、自世帯子機１ａからの子機呼出信号をもとに、別世帯である自世帯玄関に居る来訪者からの呼び出しがあることを検出し、その旨の呼出音（音声メッセージを含む）を呼出報知／通話部２１ｂをなすスピーカ（図示せず）から放音させるとともに、ＯＳＤ回路２３ｂを制御して別世帯玄関被呼出中である旨の文字や絵データ等と通話ボタン（図示せず）とを有するＯＳＤ画面を生成させることにより、このＯＳＤ画面がモニタ２２ｂに表示される。また、他世帯インターホン親機２ｂの親機ＣＰＵ２０ｂは、自世帯子機１ａからの子機呼出信号を、増設用Ｉ／Ｆ２６ｂ、他世帯増設ラインＬ2b、他世帯インターホン増設親機３ｂの増設用Ｉ／Ｆ３５ｂを介して増設親機ＣＰＵ３０ｂに出力する。
【００４８】
他世帯インターホン増設親機３ｂの増設親機ＣＰＵ３０ｂは、自世帯子機１ａからの子機呼出信号をもとに、別世帯である自世帯玄関に居る来訪者からの呼び出しがあることを検出し、その旨の呼出音（音声メッセージを含む）を呼出報知／通話部３１ｂをなすスピーカ（図示せず）から放音させるとともに、ＯＳＤ回路３３ｂを制御して別世帯玄関被呼出中である旨の文字や絵データ等と通話ボタン（図示せず）とを有するＯＳＤ画面を生成させることにより、このＯＳＤ画面がモニタ３２ｂに表示される。
【００４９】
また、自世帯インターホン親機２ａ、他世帯インターホン親機２ｂ、自世帯インターホン増設親機３ａおよび他世帯インターホン増設親機３ｂの呼出報知／通話部２１ａ、２１ｂ、３１ａ、３１ｂをなすスピーカ（図示せず）からそれぞれ放音された呼出音（音声メッセージを含む）およびモニタ２２ａ、２２ｂ、３２ａ、３２ｂにそれぞれ表示されたＯＳＤ画面をもとに、自世帯玄関に居る来訪者からの呼び出しがあることを検出した自世帯内および他世帯内に在室中の居住者のうち、最先に応答した居住者、ここでは、自世帯インターホン親機２ａにて前述の呼び出しを確認した居住者が操作部２４ａの操作、例えば、タッチ操作によってモニタ２２ａに表示されているＯＳＤ画面上の通話ボタン（図示せず）を選択すると、この操作を検出した親機ＣＰＵ２０ａの制御により、呼出報知／通話部２１ａをなすスピーカおよびマイク（図示せず）と当該親機ＣＰＵを介して子機用Ｉ／Ｆ２５ａとの間の通話路が形成されるとともに、自世帯玄関間通話要求信号が生成される。この自世帯玄関間通話要求信号は、子機用Ｉ／Ｆ２５ａ、自世帯子機ラインＬ1aを介して自世帯子機１ａへと伝送されるとともに、前述の子機呼出信号と同様な経路を介して自世帯インターホン増設親機３ａの増設親機ＣＰＵ３０ａ、他世帯インターホン親機２ｂの親機ＣＰＵ２０ｂ、他世帯インターホン増設親機３ｂの増設親機ＣＰＵ３０ｂへとそれぞれ伝送される。
【００５０】
自世帯子機１ａ、自世帯インターホン増設親機３ａの増設親機ＣＰＵ３０ａ、他世帯インターホン親機２ｂの親機ＣＰＵ２０ｂおよび他世帯インターホン増設親機３ｂの増設親機ＣＰＵ３０ｂのうち、自世帯子機１ａは、自世帯インターホン親機２ａの親機ＣＰＵ２０ａからの自世帯玄関間通話要求信号を検出すると、当該自世帯子機が有する通話機能（図示せず）と自世帯子機ラインＬ1aとの間の通話路を生成するとともに、自世帯玄関間通話許可信号を生成する。この自世帯玄関間通話許可信号は、前述の子機呼出信号と同様な経路を介して自世帯インターホン親機２ａの親機ＣＰＵ２０ａへと伝送される。
【００５１】
自世帯インターホ親機２ａの親機ＣＰＵ２０ａは、自世帯子機１ａからの自世帯玄関間通話許可信号を検出すると、ＯＳＤ回路２３ａを制御して自世帯玄関間通話中である旨および通話開始から所定時間の経過後においてモニタ２２ａが消灯される旨の文字や絵データ等と終話ボタン（図示せず）とを有するＯＳＤ画面を生成させることにより、このＯＳＤ画面がモニタ２２ａに表示される。
【００５２】
一方、自世帯子機１ａ、自世帯インターホン増設親機３ａの増設親機ＣＰＵ３０ａ、他世帯インターホン親機２ｂの親機ＣＰＵ２０ｂおよび他世帯インターホン増設親機３ｂの増設親機ＣＰＵ３０ｂのうち、自世帯インターホン増設親機３ａの増設親機ＣＰＵ３０ａ、他世帯インターホン親機２ｂの親機ＣＰＵ２０ｂおよび他世帯インターホン増設親機３ｂの増設親機ＣＰＵ３０ｂは、呼出先の居住者からの応答があったことを検出し、ＯＳＤ回路３３ａ、２３ｂ、３３ｂへの制御をそれぞれ停止するとともに、モニタ３２ａ、２２ｂ、３２ｂの消灯制御をそれぞれ行う。
【００５３】
前述のような自世帯子機１ａおよび自世帯インターホン親機２ａの親機ＣＰＵ２０ａの制御により、呼出元の来訪者が使用する当該自世帯子機の通話機能（図示せず）と呼出先の居住者が使用する呼出報知／通話部２１ａをなすスピーカおよびマイク（図示せず）との通話路が形成され、形成された通話路を介して音声信号が送受信され通話が成立している自世帯玄関間通話中であり、親機ＣＰＵ２０ａにて計時中の所定時間内において、呼出先の居住者が通話を終話させるために、モニタ２２ａのＯＳＤ画面上に表示されている終話ボタン（図示せず）を、操作部２４ａの操作、例えば、タッチ操作によって選択すると、この操作を検出した親機ＣＰＵ２０ａにより呼出報知／通話部２１ａをなすスピーカおよびマイク（図示せず）と当該親機ＣＰＵを介して子機用Ｉ／Ｆ２５ａとの間の通話路が遮断されるとともに、ＯＳＤ回路２３ａへの制御が停止されモニタ２２ａの消灯制御が行われ、さらに、終話信号が生成される。この終話信号は、前述の自世帯玄関間通話許可信号と同様な経路を介して自世帯子機１ａへと伝送される。
【００５４】
自世帯子機１ａは、自世帯インターホン親機２ａの親機ＣＰＵ２０ａからの終話信号を検出すると、通話機能（図示せず）と自世帯子機ラインＬ1aとの間の通話路を遮断する。
【００５５】
また、前述のような自世帯子機１ａおよび自世帯インターホン親機２ａの親機ＣＰＵ２０ａの制御により、呼出元の来訪者が使用する当該自世帯子機の通話機能（図示せず）と呼出先の居住者が使用する呼出報知／通話部２１ａをなすスピーカおよびマイク（図示せず）との通話路が形成され、形成された通話路を介して音声信号を送受信され通話が成立している自世帯玄関間通話中において、親機ＣＰＵ２０ａにて計時中の所定時間がタイムアップとなると、このタイムアップを検出した親機ＣＰＵ２０ａの制御により、ＯＳＤ回路２３ａへの制御が停止されるとともに、モニタ２２ａの消灯制御も行われる。
【００５６】
さらに、前述のような自世帯子機１ａおよび自世帯インターホン親機２ａの親機ＣＰＵ２０ａの制御により、呼出元の来訪者が使用する当該自世帯子機の通話機能（図示せず）と呼出先の居住者が使用する呼出報知／通話部２１ａをなすスピーカおよびマイク（図示せず）との通話路が形成され、形成された通話路を介して音声信号を送受信され通話が成立している自世帯玄関間通話中において、親機ＣＰＵ２０ａにて計時中の所定時間がタイムアップとなり、ＯＳＤ回路２３ａへの制御が停止されモニタ２２ａの消灯制御もそれぞれ行われた後、呼出先の居住者が終話させるためには、操作部２４ａを操作、例えば、タッチ操作する。この操作を検出した親機ＣＰＵ２０ａは、ＯＳＤ回路２３ａにて生成させた終話ボタン（図示せず）を有するＯＳＤ画面を、点灯制御したモニタ２２ａに表示させる。さらに、呼出先の居住者がモニタ２２ａのＯＳＤ画面上に表示されている終話ボタン（図示せず）を、操作部２４ａの操作、例えば、タッチ操作によって選択すると、この応答操作を検出した親機ＣＰＵ２０ａおよび自世帯子機１ａの制御により、前述の所定時間内における応答動作時と同様、呼出元の来訪者が使用する自世帯子機１ａの通話機能（図示せず）と呼出元の居住者が使用する呼出報知／通話部２１ａをなすスピーカおよびマイク（図示せず）との間の通話路が遮断されるとともに、ＯＳＤ回路２３ａへの制御が停止されモニタ２２ａの消灯制御も行われる。
【００５７】
なお、本発明の実施例による第３の動作においては、来訪者と居住者との間で通話を成立させるにあたり、呼出元の玄関を自世帯玄関とし、自世帯玄関に居る来訪者が自世帯内および／または他世帯内のうち応答した自世帯内に在室中の居住者との間で自世帯玄関間通話を成立させる動作について説明したが、これに限定されず、呼出元の玄関を他世帯玄関とし、他世帯玄関に居る来訪者が自世帯内および／または他世帯内のうち応答した何れか１の居住者との間で他世帯玄関間通話を成立させた場合でも同様な動作を行うことができ、省電力化が図られるとともに、呼出表示部品の劣化が防止される。
【産業上の利用可能性】
【００５８】
本発明の実施例における説明では、当該インターホンシステムをニ世帯住宅用に適用した場合について説明したが、この世帯数に限定されず、単一の世帯や三世帯以上の世帯数用に適用させることもできる。また、三世帯以上の世帯数用に適用する場合には、各種の信号に固有のアドレス等を付加して、どの世帯の機器に送信される信号かを識別できるようにすることが好ましい。
【図面の簡単な説明】
【００５９】
【図１】本発明の実施例によるインターホンシステムの具体的な構成を示すブロック図。
【符号の説明】
【００６０】
１ａ……自世帯子機（子機）
２ａ……自世帯インターホン親機（インターホン親機）
２０ａ……親機ＣＰＵ（ＣＰＵ）
２２ａ……モニタ
２３ａ……ＯＳＤ回路
２５ａ……子機用Ｉ／Ｆ
２６ａ……増設用Ｉ／Ｆ
２７ａ……別世帯用Ｉ／Ｆ
３ａ……自世帯インターホン増設親機（インターホン増設親機）
３２ａ……モニタ
３３ａ……ＯＳＤ回路
３５ａ……増設用Ｉ／Ｆ
１ｂ……他世帯子機（子機）
２ｂ……他世帯インターホン親機（インターホン親機）
２２ｂ……モニタ
２３ｂ……ＯＳＤ回路
２５ｂ……子機用Ｉ／Ｆ
２６ｂ……増設用Ｉ／Ｆ
２７ｂ……別世帯用Ｉ／Ｆ
３ｂ……他世帯インターホン増設親機（インターホン増設親機）
３２ｂ……モニタ
３３ｂ……ＯＳＤ回路
３５ｂ……増設用Ｉ／Ｆ
Ｌ1a……自世帯子機ライン（伝送路）
Ｌ2a……自世帯増設ライン（伝送路）
Ｌ1b……他世帯子機ライン（伝送路）
Ｌ2b……他世帯増設ライン（伝送路）
Ｌ3……親機間ライン（伝送路）
【図１】
2006101198.tif 000003